(57)【要約】【課題】  塵埃の進入を防止し、空気流の安定化を図る記録装置を提供する。【解決手段】  磁気ディスクを回転させる磁気ディスク駆動部１０２と、データの書込み、及びデータの読込みを行う磁気ヘッド１０４を、任意の目標トラック上へ動かす駆動モータ１０３と、前記磁気ディスク駆動部１０２と、前記駆動モータ１０３とが搭載される基台１０６と、前記基台１０６上であって、前記磁気ディスクの外周側に形成される囲壁部１０５と、前記基台１０６に取り付けられて前記磁気ディスク駆動部１０２及び前記駆動モータ１０３を覆い、該取り付け時に前記基台１０６の前記囲壁部１０５に接すると共に、前記囲壁部１０５より外周側に外縁壁が形成されたカバー１０７と、前記外縁壁１０７１で前記基台１０６及び前記カバー１０７に接着し、前記磁気ディスク駆動部１０２及び前記駆動モータ１０３を密閉する接着部１０８とを具備する。【選択図】      図１
2009181610.tif 000002
【特許請求の範囲】
【請求項１】
磁気ディスクを回転させる磁気ディスク駆動部と、
前記磁気ディスクへのデータの書込み、及び前記磁気ディスクからのデータの読込みを行う磁気ヘッドを、前記磁気ディスクの任意の目標トラック上へ動かす駆動モータと、
前記磁気ディスク駆動部と、前記駆動モータとが搭載される基台と、
前記基台上であって、前記磁気ディスクの外周側に形成される囲壁部と、
前記基台に取り付けられて前記磁気ディスク駆動部及び前記駆動モータを覆い、該取り付け時に前記基台の前記囲壁部に接すると共に、前記囲壁部より外周側に外縁壁が形成されたカバーと、
前記外縁壁で前記基台及び前記カバーに接着し、前記磁気ディスク駆動部及び前記駆動モータを密閉する接着部と
を具備することを特徴とする記録装置。
【請求項２】
前記基台は、前記接着部と接着する接着面を外周に有することを特徴とする請求項１記載の記録装置。
【請求項３】
前記カバーの前記外縁壁は、前記接着部と接着する接着面を有することを特徴とする請求項２記載の記録装置。
【請求項４】
前記囲壁部の内側壁面は凹凸の無い滑らかな面であることを特徴とする請求項３記載の記録装置。
【発明の詳細な説明】
【技術分野】
【０００１】
本発明は、記録装置に関する。
【背景技術】
【０００２】
近年、磁性体の磁化状態を電気的に変化させることでデータの記憶や消去を行なう磁気ディスク装置を利用したＨＤＤ（Ｈａｒｄ  Ｄｉｓｋ  Ｄｒｉｖｅ）等のメディアが広く普及している。
【０００３】
一般的に磁気ディスク装置では、高速回転する磁気ディスク上に空気の粘性流で磁気ヘッドを浮上させて磁気データの書込み・読込みを行う。これらの磁気ディスク装置では磁気ヘッドの浮上安定性を保つため、磁気ディスク周辺をシュラウドで囲って塵埃進入の防止及び空気流の安定化を図ることが多い。
【０００４】
例えば特許文献１には、シュラウドがカバーに向かって間隙を持って突出する円筒状の上部面を含み、該シュラウドの上面と該シュラウドの上面と向き合う位置のベース表面との間隙が±０．０５ｍｍとなるような精度で平面加工した磁気ディスク装置が開示されている。
【特許文献１】特開２０００−４０３４０号公報
【発明の開示】
【発明が解決しようとする課題】
【０００５】
しかしながら、特許文献１に示す磁気ディスク装置では、シュラウドの上面と該シュラウドの上面と向き合う位置のベース表面とが間隙を無く接する構造に加工することついて考慮していない。よって、当該間隙から塵埃が進入する可能性や空気の乱流が生じる可能性がある。
【０００６】
そこで、塵埃の進入を防止し、空気流の安定化を図る記録装置を提供することを目的とする。
【課題を解決するための手段】
【０００７】
上述の課題を解決するため、本発明の記録装置は、磁気ディスクを回転させる磁気ディスク駆動部と、前記磁気ディスクへのデータの書込み、及び前記磁気ディスクからのデータの読込みを行う磁気ヘッドを、前記磁気ディスクの任意の目標トラック上へ動かす駆動モータと、前記磁気ディスク駆動部と、前記駆動モータとが搭載される基台と、前記基台上であって、前記磁気ディスクの外周側に形成される囲壁部と、前記基台に取り付けられて前記磁気ディスク駆動部及び前記駆動モータを覆い、該取り付け時に前記基台の前記囲壁部に接すると共に、前記囲壁部より外周側に外縁壁が形成されたカバーと、前記外縁壁で前記基台及び前記カバーに接着し、前記磁気ディスク駆動部及び前記駆動モータを密閉する接着部とを具備することを特徴としている。
【発明の効果】
【０００８】
本発明によれば、塵埃の進入を防止し、空気流の安定化を図ることができる。
【発明を実施するための最良の形態】
【０００９】
以下、本発明の実施の形態について図面を参照しながら詳細に説明する。まず、図１乃至図３を参照して本実施例の記録装置１の構成について説明する。図１は、本実施例の記録装置１の内部構造の一例を示した図である。図２は、図１のＡ−Ａ断面を示した図である。図３は、図１のＢ−Ｂ断面を示した図である。記録装置１は、例えばＨＤ（Ｈａｒｄ  Ｄｉｓｋ）等の磁気ディスクを内蔵したＨＤＤ（Ｈａｒｄ  Ｄｉｓｋ  Ｄｒｉｖｅ）等である。
【００１０】
記録装置１は、例えば磁気ディスク１０１、スピンドルモータ１０２、キャリッジ１０３、磁気ヘッド１０４、シュラウド１０５、基台１０６、及びカバー１０７等を備えている。図１では、カバー１０７を取り外した状態の記録装置１をカバー上面１０７ａ側及び基台上面１０６ａ側から見た場合の図を示す。
【００１１】
磁気ディスク１０１は、例えば金属製のディスクの表面に磁性体を塗布して作られた記録媒体である。磁気ディスク１０１では、磁性体の磁化状態を電気的に変化させることにより、データの書込みや消去を行なう。磁気ディスク１０１は、基台上面１０６ａに設けた磁気ディスク配置部１０１ａに設置される。尚、図３に示すように、記録装置１では磁気ディスク１０１の下に磁気ディスク１０１１を重ねた構造の例を示す。
【００１２】
スピンドルモータ１０２は、例えば磁気ディスク１０１の回転中心に設置された、磁気ディスク１０１を支持する支軸１０２ａを回転させるモータである。スピンドルモータ１０２は、磁気ディスク１０１にデータの書込みを行う際や磁気ディスク１０１からデータの読込みを行う際に起動し、支軸１０２ａを介して磁気ディスク１０１を回転させる。
【００１３】
キャリッジ１０３は、例えばデータの書込みや読込みを行う磁気ヘッド１０４を保持する駆動部品である。また、キャリッジ１０３はボイスコイルモータ等を備え、磁気ヘッド１０４の磁気ディスク１０１表面上における動作を制御する。ここではキャリッジ１０３は、回転する磁気ディスク１０１の回転中心方向または外縁方向に磁気ヘッド１０４を移動させて任意の目標トラック上へ動かす。
【００１４】
磁気ヘッド１０４は、キャリッジ１０３の先端に取り付けられ、磁気ディスク１０１表面の磁気記録層に対してデータの書込み・読込みを行う。磁気ヘッド１０４は、データの書込み・読込みを行う際、高速回転する磁気ディスク１０１上から数十ナノオーダの離間間隔で浮上する。
【００１５】
シュラウド１０５は、磁気ディスク１０１への塵埃進入を抑制し、且つ、磁気ディスク１０１の回転に伴って発生する空気の粘性流を磁気ディスク１０１の外周に沿って滑らかに流れるように凹凸の無い滑らかな面で磁気ディスク配置部１０１ａを囲う囲壁の働きをする。シュラウド１０５の先端には、カバー１０７に対向する面１０５ａ（以下、シュラウドの上面と称する）が設けられている。シュラウドの上面１０５ａは、カバー１０７を基台１０６に取り付けた際、カバー下面１０７ｂにおける当該シュラウドの上面１０５ａと対向する位置の面と間隙無く接する高さに構成されている。
【００１６】
尚、ここではカバー下面１０７ｂにおける当該シュラウドの上面１０５ａと対向する位置の面に１０７ｇの符号を付けて示す。図２では、カバー上面１０７ａからみて左側のシュラウドの上面１０５ａと対向する位置の面に１０７ｇ１の符号をつけ、右側のシュラウドの上面１０５ａと対向する位置の面に１０７ｇ２の符号をつける。
【００１７】
シュラウド１０５は、図３の断面図に示すように一定の高さを有している。尚、ここでは、基台上面１０６ａからみて左側のシュラウド及びシュラウドの上面に其々１０５１及び１０５ａ１の符号を、右側のシュラウド及びシュラウドの上面に其々１０５２及び１０５ａ２の符号を付す。
【００１８】
ここでは、シュラウド１０５１とシュラウド１０５２、及びシュラウドの上面１０５ａ１とシュラウドの上面１０５ｂ１は其々同一の形状を示しているが、カバー１０７を基台１０６に取り付けた際、カバーに接する高さで加工されていれば良い。
【００１９】
尚、本実施例ではシュラウドの上面１０５ａ及びシュラウドの上面１０５ａと対向する位置の面１０７ｇは凹凸の無い平面である場合の例を示すが、これに限らず、シュラウドの上面１０５ａとシュラウドの上面１０５ａと対向する位置の面１０７ｇとが間隙無く接する構造であれば良い。また、シュラウド１０５は基台上面１０６ａ或いはカバー下面１０７ｂに構成されても良い。シュラウド１０５の構造の詳細については図７を参照して後述する。
【００２０】
基台１０６は、磁気ディスク１０１及び磁気ディスク１０１を回転させるスピンドルモータ１０２が配置される磁気ディスク配置部１０１ａが形成すると共に、キャリッジ１０３等の各構成部品を搭載する。ここでは、基台１０６の上面及び下面を其々１０６ａ及び１０６ｂで示す。基台１０６は、ネジを螺合させる被螺合部１０６Ａ，１０６Ｂ，１０６Ｃ，１０６Ｄ，１０６Ｅ，１０６Ｆ，１０６Ｇを有する。
【００２１】
また、基台１０６の外縁には基台１０６とカバー１０７との間隙を埋めて記録装置１の内部を密閉する弾性体を設置する設置部１０６ｃが設けられている。この弾性体の設置方法については図４乃至図６を参照しながら後述する。また、ここでは基台上面１０６ａからみて左側の設置部に１０６ｃ１の符号を、右側の外縁壁に１０６ｃ２の符号を付して示す。
【００２２】
カバー１０７は、基台上面１０６ａにカバー下面１０７ｂを対向させて取り付けることで、基台１０６に搭載される各構成部品を覆う。また、カバー下面１０７ｂは、カバー１０７を基台１０６に取り付けた際、シュラウドの上面１０５ａと間隙無く接するように加工されている。カバー１０７には、ネジを通すネジ穴１０７Ａ，１０７Ｂ，１０７Ｃ，１０７Ｄ，１０７Ｅ，１０７Ｆ，１０７Ｇが設けられている。
【００２３】
図２に示すように、カバー１０７には、外部圧力に対する剛性を強めるために、凸部１０７ｄ、１０７ｅ、１０７ｆが設けられている。尚、ここでは、カバー１０７の上面及び下面を其々１０７ａ及び１０７ｂで示す。
【００２４】
カバー１０７は、基台１０６側に折り曲げられた外縁壁を有す。ここでは、カバー上面１０７ａからみて左側の外縁壁に１０７１の符号をつけ、右側の外縁壁に１０７２の符号をつけて示す。当該外縁壁を有すことで、カバー１０７がスライドして基台１０６から外れることを回避できる。
【００２５】
記録装置１では、基台１０６に各部品を搭載した後にカバー下面１０７ｂを基台上面１０６ａに対向させて取り付け、各ネジ穴１０７Ａ，１０７Ｂ，１０７Ｃ，１０７Ｄ，１０７Ｅ，１０７Ｆ，１０７Ｇを介して被螺合部１０６Ａ，１０６Ｂ，１０６Ｃ，１０６Ｄ，１０６Ｅ，１０６Ｆ，１０６Ｇにネジ１０９Ａ，１０９Ｂ，１０９Ｃ，１０９Ｄ，１０９Ｅ，１０９Ｆ，１０９Ｇを其々螺合させて記録装置１を構成する。
【００２６】
また、記録装置１では装置内部の気密性・水密性を保持するため、固定用シール材等の弾性体を用いて基台１０６とカバー１０７との間隙を埋め、記録装置１に設置された各構成部品を密閉する。本実施例では、この弾性体の固定用シール材としてガスケットを用いる例を示す。以下に図４乃至図６を参照してガスケットの設置方法を説明する。
【００２７】
図４は、本実施例の設置部にガスケット１０８を設置した状態の基台１０６を示す図である。基台１０６の外縁にはガスケット１０８を設置する設置部１０６ｃが設けられている。ガスケット１０８は、液体定量吐出装置等により一定量・一定密度で設置部１０６ｃに設置される。図５は、図４に示した基台１０６に各構成部品を設置してカバー１０７を取り付けた後、記録装置１をカバー上面１０７ａ側から見た図である。図６は、図５のＣ−Ｃ断面を示した図である。尚、ここでは、カバーの外縁壁１０７１の内側表面、シュラウド１０５１の外側表面、及びシュラウド１０５１の内側表面を其々１０７ｈ、１０５ｂ、及び１０５ｃの符号を付す。
【００２８】
図６の断面図に示す通り、弾性体であるガスケット１０８はカバー１０７を基台１０６に取り付けることでカバー下面１０７ｂ及び基台の設置部１０６ｃに圧接し空気と接するガスケット表面の断面形状が弧状に変形した状態で記録装置１の外気を遮断し装置内部の気密性を保持している。また、カバーの外縁壁１０７１の内側表面１０７ｈとガスケット１０８との境に溝１０８ａが、シュラウド１０５１の外側表面１０５ｂとガスケット１０８との境に溝１０８ｂが形成される。
【００２９】
仮に設置部１０６ｃをシュラウド１０５上面に設けた場合、ガスケット１０８がカバー１０７ｂとシュラウド上面１０５ａとの間で圧接されるので、記録装置１の外形サイズを維持する為にシュラウド上面１０５ａ面を磁気ディスク１０１側に下げる必要がある。また、ガスケット１０８が空気と接し表面が弧状を呈すのはシュラウド１０５ｃ側とシュラウド１０５ｂ側となり、磁気ディスク配置部１０１ａの内側に形成される囲壁はシュラウド１０５ｃ面と弧状のガスケット面の両方で構成される。磁気ディスク１０１の回転中に磁気ディスク配置部１０１ａ内を囲壁に沿って流れる空気の粘性流は凹凸の無い滑らかな面では安定し、溝や凹凸など変化する面では乱流を発生しやすい為、シュラウド１０５ａ及びカバー１０７ｂと圧接するガスケット１０８との間に形成される図６の溝１０８ａ、溝１０８ｂと同様の溝によって乱流が生じる可能性がある。
【００３０】
そこで、図６に示す通り、記録装置１ではガスケット１０８の設置部１０６ｃを磁気ディスク１０１から見てシュラウド１０５の外周側に設けることで、シュラウド上面１０５ａをカバー１０７ｂ面まで持ち上げ、磁気ディスク配置部１０１ａの内側囲壁部を凹凸の無い滑らかな面でシュラウド１０５ｃを形成できる。このため、囲壁に沿って流れる空気の粘性流が安定し空気の乱流が生じる可能性を低減する。
【００３１】
また、本実施例ではカバー１０７を基台１０６に取り付けた際、シュラウドの上面１０５ａとカバー下面１０７ｂにおける当該シュラウドの上面１０５ａと対向する位置の面とが間隙無く接する構造となるように加工されている。以下、図７を参照して記録装置１の内部構造を説明する。
【００３２】
図７は、図５のＤ−Ｄ断面を示した図である。図７の断面図に示す通り、本実施例ではカバー１０７を基台に取り付けた際、シュラウドの上面１０５ａと、カバー下面１０７ｂにおける当該シュラウドの上面１０５ａに対向する面１０７ｇとが間隙無く接する。カバー１０７は各ネジにより基台１０６に取り付けられるため、シュラウドの上面１０５ａと面１０７ｇとを間隙なく固定することができる。
【００３３】
磁気ディスク配置部１０１ａの断面は基台上面１０６ａ、シュラウド内側表面１０５ｃ、及びカバー下面１０７ｂにより間隙無く覆われている。また、基台上面１０６ａ及びシュラウド内側表面１０５ｃは凹凸の無いなめらかな面であるため、磁気ディスク配置部１０１ａに流れる気流の整流効果が高まる。
【００３４】
尚、記録装置１ではカバー１０７に外部圧力に対する剛性を強めるため複数の凸部１０７ｄを形成している例を示すが、整流効果を高めるためにカバー下面１０７ｂを凸部１０７ｄの無い平面にしても良い。
【００３５】
また、記録装置１では支軸の高さや外部圧力によるカバー１０７の変形等の影響を考慮し、磁気ディスク上面１０１ｂからカバー下面１０７ｂまでの距離ｍを磁気ディスク下面１０１ｃから基台上面１０６ａまでの距離ｌと同一の値になるように設計・加工していないが、例えば記録装置１を落とした際の衝撃等によって磁気ディスク１０１が初期位置から変位する距離を確保できれば、同一の距離に設計・加工しても良い。
【００３６】
また、本実施例ではガスケット１０８を設置する設置部を基台１０６に設けた場合を示したが、これに限らず、ガスケット１０８を磁気ディスク１０１から見てシュラウド１０５の外側に設置してシュラウド１０５により覆われた磁気ディスク配置部１０１ａ内に空気の乱流が生じる可能性を低減することができればよい。
【００３７】
例えば、ガスケット１０８を設置する設置部をカバー下面１０７ｂにも設けてもよい。以下、図８乃至図９を参照してガスケット１０８を設置する設置部をカバー下面１０７ｂに設けた場合のガスケット１０８の設置方法を説明する。
【００３８】
図８は、設置部１０７ｃにガスケット１０８を設置した状態のカバー１０７を下面側から見た図を示す。図９は、ガスケット１０８を設置する設置部をカバー下面１０７ｂに設けた場合の図５のＣ−Ｃ断面を示した図である。
【００３９】
図７及び図９の断面図に示す通り、カバー１０７の外縁は設置部１０７ｃが設けられてガスケット１０８を設置できるように加工されている。基台１０６にカバー１０７を取り付けた際、ガスケット１０８は磁気ディスク１０１から見てシュラウド１０５の外側に設置されるため、図２乃至図４で示したガスケット１０８の設置方法と同様の効果を得ることができる。
【００４０】
例えば、ここではガスケット１０８の設置を容易にするために設置部１０７ｃの幅を長くしてガスケット１０８設置面を広くする。尚、設置部１０７ｃの幅ｓを広くした場合、記録装置１全体のサイズが大きくならないようにシュラウド１０５とカバー下面１０７ｂとの距離ｔを短くして調整する。
【００４１】
上述した通り、本実施例によれば、塵埃の進入を防止し、空気流の安定化を図る記録装置を提供することを実現する。
本実施例では、カバー１０７を基台１０６に取り付けた際、シュラウドの上面１０５ａとカバー下面１０７ｂにおける当該シュラウドの上面１０５ａと対向する位置の面１０７ｇとが間隙無く接するため、塵埃の進入を防止し、且つ、凹凸の無い滑らかな面でシュラウド１０５ｃが形成されるため空気流の安定化を図ることができる。
【００４２】
本実施例では、ガスケット１０８を磁気ディスク１０１から見てシュラウド１０５の外側に設置することで記録装置１内部を密閉し、気密性を保持しているとともに前述のカバー１０７ｂとシュラウド上面１０５ａとに隙間が無い構造を可能としている。
【００４３】
本実施例では、弾性体のガスケット１０８を基台１０６とカバー１０７との間隙に挟み込むことで、シュラウドの上面１０５ａとカバー下面１０７ｂにおける当該シュラウドの上面１０５ａと対向する位置の面１０７ｇとの微細な高さのばらつきを吸収することができる。
【００４４】
本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００４５】
【図１】本実施例の記録装置の内部構造の一例を示した図である。
【図２】本実施例のカバーの断面を示した図である。
【図３】本実施例の基台の断面を示した図である。
【図４】本実施例の設置部にガスケットを設置した状態の基台を示す図である。
【図５】本実施例の記録装置をカバー上面側から見た図である。
【図６】本実施例の記録装置のガスケットの断面を示した図である。
【図７】本実施例の記録装置のシュラウドの断面を示した図である。
【図８】本実施例の設置部にガスケットを設置した状態のカバーを示す図である。
【図９】本実施例の記録装置のガスケットの断面を示した図である。
【符号の説明】
【００４６】
１：記録装置
１０１、１０１１：磁気ディスク
１０１ａ：磁気ディスク配置部
１０１ｂ：磁気ディスク上面
１０１１ｃ：磁気ディスク下面
１０２：スピンドルモータ
１０２ａ：支軸
１０３：キャリッジ
１０４：磁気ヘッド
１０５，１０５１，１０５２：シュラウド
１０５ａ，１０５ａ１，１０５ａ２：シュラウドの上面
１０５ｂ：シュラウド外側の表面
１０５ｃ：シュラウド内側の表面
１０６：基台
１０６ａ：基台上面
１０６ｂ：基台下面
１０６ｃ，１０６ｃ１，１０６ｃ２：設置部
１０６Ａ，１０６Ｂ，１０６Ｃ，１０６Ｄ，１０６Ｅ，１０６Ｆ，１０６Ｇ：ネジ
１０７：カバー
１０７ａ：カバー上面
１０７ｂ：カバー下面
１０７ｃ：設置部
１０７ｄ，１０７ｅ，１０７ｆ：凸部
１０７ｇ：シュラウドの上面と対抗する面
１０７ｈ：外縁壁内側の面
１０７Ａ，１０７Ｂ，１０７Ｃ，１０７Ｄ，１０７Ｅ，１０７Ｆ，１０７Ｇ：ネジ穴
１０８：ガスケット
１０８ａ，１０８ｂ：溝
１０９Ａ，１０９Ｂ，１０９Ｃ，１０９Ｄ，１０９Ｅ，１０９Ｆ，１０９Ｇ：被螺合部
１０７１，１０７２：外縁壁
ｓ：設置部１０７ｃの幅
ｔ：シュラウド１０５とカバー下面１０７ｂとの距離
ｌ：磁気ディスク上面１０１ｂからカバー下面１０７ｂまでの距離
ｍ：磁気ディスク下面１０１ｃから基台上面１０６ａまでの距離
【図１】
2009181610.tif 000003
【図２】
2009181610.tif 000004
【図３】
2009181610.tif 000005
【図４】
2009181610.tif 000006
【図５】
2009181610.tif 000007
【図６】
2009181610.tif 000008
【図７】
2009181610.tif 000009
【図８】
2009181610.tif 000010
【図９】
2009181610.tif 000011